(57)【特許請求の範囲】
【請求項１】
２チャンネルのオーディオ信号である第１オーディオ信号と、マルチチャンネルのオーディオ信号である第２オーディオ信号とが入力される音響装置において、
音場制御をするための調整値を入力する入力部と、
前記調整値に基づいて、少なくとも入力されたオーディオ信号の左右方向の音量バランス調整または前後方向の音量バランス調整のいずれかを行う音場制御部と、
前記入力されたオーディオ信号が前記第１オーディオ信号または前記第２オーディオ信号のいずれであるかを検出する検出部と、
前記検出部の検出結果に基づいて、少なくとも前記左右方向の音量バランス調整または前後方向の音量バランス調整のいずれかに関する前記入力部による調整値の入力範囲を可変する制御部と、を備え、
前記制御部は、前記入力されたオーディオ信号が前記第１オーディオ信号である場合の前記調整値の入力範囲よりも、前記入力されたオーディオ信号が前記第２オーディオ信号である場合の前記調整値の入力範囲を狭くする、
ことを特徴とする音響装置。
【請求項２】
前記制御部は、前記入力されたオーディオ信号が第１オーディオ信号である場合に対して、前記入力されたオーディオ信号が前記第２オーディオ信号である場合に、前記入力部による調整値の調整ステップを小さくする、
ことを特徴とする請求項１に記載の音響装置。
【請求項３】
前記調整値を記憶する記憶部を更に備え、
前記制御部は、前記検出部の検出結果に基づいて、前記第１オーディオ信号に対する前記調整値と前記第２オーディオ信号に対する前記調整値とを別個に前記記憶部に記憶する、
ことを特徴とする請求項１または２のいずれかに記載の音響装置。
【発明の詳細な説明】
【０００１】
【発明の属する技術分野】
本発明は、チャンネル数の異なるソースを再生する際のバランス／フェーダ調整をしやすくした音響装置に関する。
【０００２】
【従来の技術】
ＣＤ、ＭＤ等から出力される２チャンネル対応されたオーディオソース（以下２チャンネルソース）を２チャンネルで出力するには、２チャンネル分のスピーカ、すなわち、左側と右側から成る２つのスピーカが必要となる。
【０００３】
車載用の音響装置では、この２チャンネル分のスピーカを車室内の前側と後側にそれぞれ配置し、２チャンネルソースを前側と後側の両方から２チャンネルでそれぞれ出力する構成となっている。また、音響装置は、前後のスピーカから出力される２チャンネルソースの音量バランスを調整するフェーダ調整部と、左右のスピーカから出力される２チャンネルソースの音量バランスを調整するためのバランス調整部とを有している。視聴者はこれら２つの調整部を用いてスピーカから出力される２チャンネルソースを自分の好みに合った音場（定位）に設定することができる。
【０００４】
すなわち、バランス調整部は、左右のスピーカから出力される音量バランスを調整することにより、２チャンネルソースの音の定位を運転席側にしたり、助手席側にしたりと、音の定位を左右方向に移動させることができる。フェーダ調整部は、前後のスピーカから出力される音量バランスを調整することにより、２チャンネルソースの音の定位を車室内の前側にしたり、後側にしたりと、音の定位を前後方向に移動させることができる。
【０００５】
一方、音響装置としては、記録メディアの高容量化にともない、２チャンネルソースに加えて、３チャンネル以上の多チャンネルオーディオソース（以下マルチチャンネルソース）を出力するものも増えてきている。
例えば、ＤＶＤには、より臨場感のあるオーディオを視聴する目的で、５．１チャンネルのオーディオソースが記録されている。すなわち、前方左右スピーカと後方左右スピーカとセンタースピーカと低音スピーカから成る６チャンネル分のオーディオソースが独立して記録されている。そこで、車載用の音響装置は、マルチチャンネルソースに対応すべく車室内にセンタースピーカと低音スピーカを新たに設け、２チャンネルソースとマルチチャンネルソースの両方に対応可能な構成となっている。
【０００６】
【発明が解決しようとする課題】
ところが、ステレオの２チャンネルソースと５．１チャンネル等のマルチチャンネルソースとでは、ソースコンテンツの作成過程における前提が異なっているため、視聴するオーディオソースが２チャンネルソースか５．１チャンネルソースかで、バランス・フェーダの設定条件をその都度変更する必要があった。すなわち、２チャンネルソースは、ソースコンテンツ側から最適設定を要求されるものでなく、基本的に視聴者の好みでバランス・フェーダの設定が行われる。一方、マルチチャンネルソースは、視聴位置で各チャンネルの再生音量が同一であることを前提に作成されているため、視聴位置に音の定位がくるようにバランス・フェーダの設定が行われる必要がある。
【０００７】
例えば、２チャンネルソースでは、視聴者の好みによりバランス／フェーダの調整がなされるため、フェーダ調整が極端に前側若しくは後側にズラして調整される場合がある。しかし、このフェーダ調整のままマルチチャンネルソースを再生すると、マルチチャンネルソースは、音の定位が視聴位置に対して前側若しくは後側に極端にズレて再生されることになるため、再生されるオーディオの臨場感が大きく損なわれることになる。
【０００８】
本発明は、上記課題に鑑み，成されたものであり、その目的は、２チャンネルソースを再生する場合でも、マルチチャンネルソースを再生する場合でも、最適な音場設定が可能な音響装置を提供することである。
【０００９】
【課題を解決するための手段】
上記課題を解決するため、請求項1に記載の発明に係る音響装置は、２チャンネルのオーディオ信号である第１オーディオ信号と、マルチチャンネルのオーディオ信号である第２オーディオ信号とが入力される音響装置において、音場制御をするための調整値を入力する入力部と、前記調整値に基づいて、少なくとも入力されたオーディオ信号の左右方向の音量バランス調整または前後方向の音量バランス調整のいずれかを行う音場制御部と、前記入力されたオーディオ信号が前記第１オーディオ信号または前記第２オーディオ信号のいずれであるかを検出する検出部と、前記検出部の検出結果に基づいて、少なくとも前記左右方向の音量バランス調整または前後方向の音量バランス調整のいずれかに関する前記入力部による調整値の入力範囲を可変する制御部と、を備え、前記制御部は、前記入力されたオーディオ信号が前記第１オーディオ信号である場合の前記調整値の入力範囲よりも、前記入力されたオーディオ信号が前記第２オーディオ信号である場合の前記調整値の入力範囲を狭くする、ことを特徴とする。
【００１０】
また、請求項２に記載の発明に係る音響装置は、請求項１に記載の音響装置において、前記制御部は、前記入力されたオーディオ信号が第１オーディオ信号である場合に対して、前記入力されたオーディオ信号が前記第２オーディオ信号である場合に、前記入力部による調整値の調整ステップを小さくする、ことを特徴とする。
【００１１】
【発明の実施の形態】
本発明の実施形態による音響装置１０を図面に基づき以下に説明する。本発明は、例えば５．１チャンネルのマルチチャンネルソースを再生可能とするため前方左右スピーカＦＬ、ＦＲと後方左右スピーカＲＬ、ＲＲに加えて、前方中央に配置されるセンタースピーカＦＣと低音補強用の低音スピーカＳＷを装備した車載用の音響装置１０に適用した時の実施形態として説明する。
【００１２】
先ず、本実施形態の音響装置１０の構成と概略動作を図１乃至図４を用いて説明する。尚、図１は音響装置１０の要部構成と信号の流れを原理的に示した図で、図２は車内の各スピーカの配置図で、図３はバランス／フェーダ調整釦の構成図で、図４は表示部７のバランス／フェーダ調整時の表示画面を示す図である。
【００１３】
本実施形態の音響装置１０は、図１に示すように、複数のオーディオソースを有する再生部１と、再生部１のいずれか１つのオーディオソースを選択する選択部２と、選択部２より選択されたオーディオソースのオーディオ信号の音場を制御する音場制御部３と、音場制御されたオーディオ信号を出力するスピーカ９と、選択部２で選択するソースを指定するソース指定部４と、視聴者により音場制御部３で音場制御するための調整値が入力される入力部５と、音場制御部３で音場制御するための音場制御データを記憶するメモリ６と、各種表示を行う表示部７と、装置全体の制御を行う制御部８と有している。
【００１４】
再生部１は、ＭＤ再生部１ａ、チューナ受信部１ｂ、ＤＶＤ／ＣＤ再生部１ｃ等の複数のオーディオソースを有し、それぞれのオーディオ信号出力が選択部２に入力されている。選択部２は、制御部８から供給される選択信号Ｓｃで指定されるオーディオソースに対応するオーディオ信号を選択し、選択したオーディオ信号を後段の音場制御部３に供給する。音場制御部３は、前後の左右スピーカから出力されるオーディオ信号の音場制御を行うメインチャンネル音場制御部３ａと、センタースピーカＦＣから出力されるオーディオ信号の音場制御を行うセンターチャンネル音場制御部３ｂと、低音スピーカＳＷから出力されるオーディオ信号の音場制御を行う低音チャンネル音場制御部３ｃからなり、制御部８から供給される音場制御データＳｖに基づいて各オーディオ信号の音場制御が行われる。また、メインチャネル音場制御部３ａは、電子ボリュームで構成されるバランス調整部３ａａとフェーダ調整部３ａｂを有してる。
【００１５】
スピーカ９は、図２に示すように、前方の左右スピーカＦＬ・ＦＲと、後方の左右スピーカＲＬ・ＲＲと、前方中央スピーカＦＣと、低音スピーカＳＷからなり、選択したオーディオ信号のチャンネル数に応じてオーディオ信号が入力される。すなわち、スピーカ９は、２チャンネルソースが選択された場合には、前後の左右スピーカにオーディオ信号が入力され、５．１チャンネルソースが選択された場合には、前後の左右スピーカに加えて、センタースピーカＦＣと、低音スピーカＳＷにオーディオ信号が入力される。
【００１６】
ソース指定部４は、視聴者により所望のオーディオソースを指定するための手段で、視聴者が指定したオーディオソースに関する情報を指定信号Ｓｓとして制御部８に供給する。制御部８は、指定信号Ｓｓが供給されると、指定信号Ｓｓに基づいて選択信号Ｓｃを生成し、選択部２に対してオーディオソースの切替を指示する。入力部５は、ソース指定部４で指定したオーディオ信号の音場制御を行うため調整値を入力するための手段で、少なくとも、図３に示す十字状に形成されたバランス／フェーダ調整釦５ａと、低音スピーカＳＷの音量調整用の入力釦（図示せず）を有している。入力部５は、視聴者によりいずれかの釦が操作された場合、操作された釦の操作量に応じて調整データＳｏを制御部8に出力する。制御部８は、取得した調整データＳｏに基づいて、音場制御データＳｖを生成し、音場制御部３に対してオーディオソースの音場制御を指示する。メモリ６は、２チャンネルソースにおける音場制御部３の音場制御データを記憶する２チャンネルデータ記憶領域６ａとマルチチャンネルソースにおける音場制御部３の音場制御データを記憶する５．１チャンネルデータ記憶領域６ｂを有してる。したがって、制御部８は、メモリ６に対して、２チャンネルソース用の音場制御データとマルチチャンネルソース用の音場制御データとを別個に読み書きすることができる。
【００１７】
表示部７は、制御部８から供給される表示データＳｉに基づいて、選択しているオーディオソースに関する情報や音場制御部３における音場設定状態等を表示するための表示手段である。制御部８は、装置全体の制御に加えて、ＤＶＤ／ＣＤ再生部１より供給されるコンテンツ情報Ｓｄに基づいてオーディオ信号のチャンネル数を認識し、チャンネル数に応じた制御を実行する構成となっている。すなわち、制御部８は、５．１チャンネルのオーディオ信号を記録したＤＶＤが再生されると、コンテンツ情報Ｓｄより選択しているオーディオソースが５．１チャンネルソースであることを認識し、２チャンネル用の制御から５．１チャンネル用の制御に切り換わる構成となっている。
【００１８】
次に、音場制御部３で行われるオーディオソースの定位の調整方法を各スピーカ毎に説明する。なお、定位の調整は、視聴位置における、各スピーカから出力される音量のバランスの調整に相当するため、以下、スピーカ毎の音量の調整方法として説明する。
先ず、メインチャンネルとなる前側の左右スピーカと後側の左右スピーカの音量の調整方法を図４及び図５を用いて説明する。なお、メインチャンネルの音量調整は、バランス調整部３ａａによる左右方向の音量バランスとフェーダ調整部３ａｂによる前後方向の音量バランスとの組合せ調整により行われる。
【００１９】
音響装置１０は、視聴者により、図示せぬ調整モード釦が押されると調整モードとなり、バランス／フェーダ調整が可能な状態となる。これにより、視聴者は、図２に示すような十字状に形成されたバランス／フェーダ調整釦５ａと表示部７を用いてバランス／フェーダの調整が可能となる。バランス／フェーダ調整釦５ａは、上下方向に配置された「Ｆｒｏｎｔ」釦と「Ｒｅａｒ」釦がフェーダ調整手段に対応し、左右方向に配置された「Ｌｅｆｔ」釦と「Ｒｉｇｈｔ」釦がバランス調整手段に対応している。表示部７は、調整モードになると、図４に示すように、縦方向に２０ステップと、横方向に２０ステップが格子状に区分けされた表示画面７ａとなり、現在のメインチャンネルの定位位置が発光点７ｂで表示される。表示画面７ａ上の１ステップは、バランス／フェーダ調整釦５ａの釦操作の１回分に相当しており、操作された釦の方向に操作された回数分だけ発光点７ｂが移動する構成となっている。なお、発光点７ｂは、バランス／フェーダ調整が無調整の状態では、太線の交わる中心位置に配置される。
【００２０】
次に、視聴者により、バランス／フェーダ調整釦５ａが操作された場合の具体的な動作について説明する。視聴者により、バランス／フェーダ調整が無調整の状態で「Ｒｉｇｈｔ」釦が６回、「Ｆｒｏｎｔ」釦が２回押された場合、バランス／フェーダ調整釦５ａは、その操作に応じた信号を操作データＳｏとして制御部８に出力する。制御部８は、取得した操作データＳｏに基づいて、音場制御データＳｖを生成し音場制御部３に対して音場制御を指示する。また、制御部８は、取得した操作データＳｏに基づいて、表示データＳｉを生成し、図４に示すように、バランス／フェーダ釦の５ａの操作に応じて発光点７ｂを移動させる。
【００２１】
なお、音響装置１０は、バランス／フェーダ調整釦５ａによるバランス／フェーダの調整を行う際、オーディオソースのチャンネル数に応じてバランス／フェーダの調整値の入力範囲の切替を行っている。すなわち、制御部８は、コンテンツ情報Ｓｄより、音場制御を行うオーディオ信号が２チャンネルソースか５．１チャンネルソースかを判断し、この判断結果に基づいて、バランス／フェーダの入力範囲を可変する構成となっている。
【００２２】
図５は、音響装置１０のフェーダの調整範囲を説明するための原理図で、図５（Ａ）はフェーダ調整部３ａｂが物理的に調整可能な最大調整範囲を示し、図５（Ｂ）は２チャンネルソースの場合のフェーダ調整範囲を示し、図５（Ｃ）は５．１チャンネルソースの場合のフェーダ調整範囲を夫々示したものである。なお、説明は行わないが、バランス調整部３ａａに関しても同様な制御が成されるものとする。
【００２３】
フェーダ調整部３ａａは、図５（Ａ）に示すように、最大でフロント側が−無限大（−∞）からリア側が−無限大（−∞）まで減衰可能な最大調整範囲を有している。制御部８は、２チャンネルソースのフェーダ調整を行う場合、図５（Ｂ）に示すように、最大調整範囲をフェーダ調整範囲とし、従来の２チャンネルソースのフェーダ調整と同様に前方向又は後方向に無限大の減衰が可能な構成としている。
【００２４】
一方、制御部８は、５．１チャンネルソースのフェーダ調整を行う場合、図５（Ｃ）に示すように、調整範囲をフロント側−１０ｄＢからリア側−１０ｄＢまでと可変減衰量を狭め、０ｄＢ近辺での細かい調整が可能な構成となっている。この調整範囲の切替は、５．１チャンネルソースでは各チャンネルの再生音量が視聴位置において同一であることを前提にオーディオ信号が作成されている点に鑑み成されている。すなわち、５．１チャンネルソースの調整範囲としては、各チャンネルの音量の差が極端に大きくなってしまうような広い調整範囲まで必要としない。視聴者にとって、広い調整範囲は、１ステップの減衰量が大きくなり、粗いフェーダ調整となってしまう。一方、狭い調整範囲は、１ステップの減衰量が小さくできるため、前後方向の音量差が同一となるようにきめ細かなフェーダ調整を行うことができる。
【００２５】
図５（ｂ）は、２チャンネルソースの場合で、１０ステップ目の減衰量が−∞となるように１ステップを−１０ｄＢ間隔としている。図５（ｃ）は、マルチチャンネルソースの場合で、１０ステップ目が−１０ｄＢの減衰量となるよう、１ステップで−１ｄＢ減衰する構成となっている。これにより、視聴者は、２チャンネルソースの場合には広い調整範囲から好みの定位を選択することができ、５．１チャンネルソースの場合には狭い調整範囲から最適な定位をより選択しやすい構成となっている。
【００２６】
次に、センタースピーカＦＣの音量調整について説明する。
センタースピーカＦＣの音量調整値は、バランス／フェーダ調整値より自動的に算出される構成となっている。センタースピーカＦＣは、図２に示すように、基本的に前側の左右スピーカの間に配置されるため、前側の左右スピーカのバランス／フェーダ調整値を利用して仮想的に算出することがきる。すなわち、センタースピーカＦＣは、前側の左右スピーカと同様に前側に配置されるため、前側の左右スピーカのフェーダ調整値と同等の減衰量がすくなくとも必要となる。また、センタースピーカＦＣは、前側の左右スピーカの間に配置されるため、前側の左スピーカのバランス調整値と前側の右スピーカのバランス調整値との間の減衰量がその配置位置に応じて必要となる。具体的な算出方法を図４を例に説明する。
【００２７】
先ず、センターチャンネル音場制御部３ｂは、音場制御データＳｖより、前側の左右スピーカのバランス／フェーダ調整値を読み取り、前側の左スピーカと右スピーカそれぞれの減衰量を求める。すなわち、センターチャンネル音場制御部３ｂは、バランス／フェーダ調整値から右側が−６ｄＢ、前側が−２ｄＢ減衰していることを読み取ると、前側の左スピーカの減衰量が−２ｄＢ、前側の右スピーカの減衰量が−８ｄＢであることを求める。次に、センターチャンネル音場制御部３ｂは、センタースピーカＦＣが前側の左右スピーカの中間地点に配置されているため、前側の左スピーカの減衰量と前側の右スピーカの減衰量の中間値をセンタースピーカＦＣの音量として割り当てを行う。すなわち、センターチャンネル音場制御部３ｂは、−８ｄＢと−２ｄＢの中間値である−５ｄＢをセンタースピーカの音量として割り当てを行う。
【００２８】
なお、音響装置１０では、センターチャンネル音場制御部３ｂは、前側の左右スピーカの減衰量の中間値をセンタスピーカの音量調整値に割当てる制御を行っているが、センタースピーカＦＣが前側の左右スピーカの中間地点に配置されていない場合にはこの限りでない。すなわち、センターチャンネル音場制御部３ｂは、センタースピーカＦＣが前側の左右スピーカの中間地点からズレて配置されている場合には、中間地点からのズレ量に応じて減衰量を補正する構成にしてもよい。例えば、センターチャンネル音場制御部３ｂは、センタースピーカＦＣが前側の左右スピーカの間を１：２の割合で分割する位置に配置された場合、前側の左右スピーカの相対減衰量を１：２で分割した減衰量をセンタースピーカの減衰量とする。なお、制御部８は、前側の左右スピーカとセンタスピーカＦＣの位置関係を予め設定された値より認識しても良いし、視聴者により入力される情報に基づいて認識する構成にしても良い。
低音スピーカＳＷの音量レベルは、別に設けられた図示しない調整釦により個別に調整される。
【００２９】
次に、音響装置１０の音場制御の全体動作を図６に示す動作フローに基づき説明する。尚、図６は、予め図示しないＲＯＭに記録されている動作プログラムであり、視聴者によるソースの指定、例えばＤＶＤ／ＣＤ再生部１ｃを選択すると自動的に実行される。
【００３０】
音響装置１０の制御部８は、ソース指定部４によりいずれかのオーディオソースが視聴者により選択されると、ステップＳ１に移行する。ステップ１では、制御部８は、選択されたオーディオソースが５．１チャンネルのオーディオソースか否かを判断する。すなわち、制御部８は、ＤＶＤ／ＣＤ再生部１ｃが選択され、且つＤＶＤ／ＣＤ再生部１ｃより供給されるコンテンツ情報Ｓｄより５．１チャンネルのオーディオソースであることが判断できた場合には、５．１チャンネルのオーディオソース用の制御を行うためＳ５に移行する。一方、それ以外の場合には、２チャンネルのオーディオソースが選択されたものと判断し、２チャンネルのオーディオソース用の制御を行うためＳ２に移行する。
【００３１】
Ｓ２に移行すると、制御部８は、メモリ６にアクセスし、２チャンネルデータ記憶領域６ａから２チャンネルソース用のバランス／フェーダ調整値を取得し、各スピーカの音場制御を実施する。すなわち、制御部８は、取得した２チャンネルソース用のバランス／フェーダ調整値に基づいて、音場制御データＳｖを生成し、音場制御部３に対して音場制御を指示した後、Ｓ３に移行する。音場制御部３は、取得した音場制御データＳｖに基づいて、バランス／フェーダの調整を行い、メインチャンネルの定位の調整が完了する。
【００３２】
Ｓ３では、制御部８は、視聴者により新たにバランス／フェーダの調整がなされたか否かを判断する。すなわち、制御部８は、上述した図示せぬ調整モード釦が押されたか否かを判断する。押されなかった場合には、視聴者による再調整の意志がないものと判断し、Ｓ３に戻り、調整モード釦が押されたか否かを継続して監視する。一方、制御部８は、調整モード釦が押されると、視聴者による再調整の意志ありと判断し、Ｓ４に移行する。
【００３３】
Ｓ４では、制御部８は、上述した２チャンネルソースのバランス／フェーダ調整を実行する。すなわち、音響装置１０は、表示部７が図４の表示画面に切り換わり、バランス／フェーダ調整釦５ａによるメインチャンネルのバランス／フェーダ調整が可能な状態となる。制御部８は、新たな調整値が入力されると、新たな調整値に基づき音場制御データＳｖを生成し、音場制御部３に対して新たな調整値に基づくバランス／フェーダの調整を指示する。また、制御部８は、新たな調整値に基づき表示データＳｉを生成し、新たな調整値に対応させて表示画面上の発光点７ｂを移動させる。なお、制御部８は、視聴者により、再度調整モード釦が押された場合には再調整が終了したものと判断し、バランス／フェーダ調整モードを終了させると共に、新たな調整値をメモリ６の２チャンネルデータ記憶領域６ａに更新記憶して、Ｓ２に移行する。
【００３４】
Ｓ５では、制御部８は、メモリ６にアクセスして、５．１チャンネルデータ記憶領域６ｂから５．１チャンネルソース用のバランス／フェーダ調整値と、低音スピーカ用の音量調整値を取得し、音場制御部３に対し、各スピーカの音量設定を指示する。すなわち、メインチャンネル音場制御部３ａでは、取得したバランス／フェーダ調整値に基づいて、メインチャンネルのバランス／フェーダ調整が行われ、メインチャンネルの音量調整が成される。また、センターチャンネル音場制御部３ｂでは、取得したバランス／フェーダ調整値に基づいて、センタースピーカＦＣの音量調整値が求められ、センタースピーカＦＣの音量調整がなされる。また、低音チャンネル音場制御３ｃでは、取得した低音スピーカ用の音量調整値に基づいて、低音スピーカＳＷの音量調整がなされる。制御部８は、音場制御部３による各スピーカの音量設定が完了すると、Ｓ６に移行する。
【００３５】
Ｓ６では、制御部８は、視聴者により新たにバランス／フェーダの調整がなされたか否かを判断する。すなわち、制御部８は、上述した図示せぬ調整モード釦が押されたか否かを判断する。押されなかった場合には、視聴者による再調整の意志がないものと判断し、Ｓ６に戻り、調整モード釦が押されたか否かを継続して監視する。一方、制御部８は、調整モード釦が押されると、視聴者による再調整の意志ありと判断し、Ｓ７に移行する。
【００３６】
Ｓ７では、制御部８は、視聴者による５．１チャンネルソースの音場調整プログラムを実行する。すなわち、音響装置１０は、表示部７が図４の表示画面に切り換わり、バランス／フェーダ調整釦５ａによるメインチャンネルのバランス／フェーダ調整が可能な状態となる。さらに、音響装置１０は、低音スピーカＳＷの音量調整用の入力釦による音量調整が可能な状態となる。制御部８は、新たな調整値が入力されると、新たな調整値に基づき音場制御データＳｖを生成し、音場制御部３に対して新たな調整値に基づく音場制御を指示する。例えば、制御部８は、新たなバランス／フェーダ調整値が入力されると、新たな調整値に基づいて、バランス／フェーダ調整によるメインチャンネルの音量調整と、センタースピーカＦＣの音量調整を行う。一方、制御部８は、新たな低音スピーカＳＷの音量調整値が入力された場合には、新たな調整値に基づいて、低音スピーカの音量のみを調整する。
【００３７】
また、制御部８は、新たな調整値に基づき表示データＳｉを生成し、表示画面上の発光点７ｂを移動させるなど、新たな調整値に対応した表示画面に表示内容を変更する。なお、制御部８は、視聴者により、再度調整モード釦が押された場合には再調整が終了したものと判断し、調整モードを終了させると共に、新たな調整値をメモリ６の５．１チャンネルデータ記憶領域６ｂに更新記憶して、Ｓ５に移行する。
なお、音響装置１０は、調整モードになると、各スピーカから順次に調整用信号（ピンクノイズ等）が出力される。これにより、視聴者は、視聴位置において各スピーカからの音量が同一となるように調整を行う。
【００３８】
以上、述べたように本発明の音響装置１０では、予め、２チャンネルの音場制御データ記憶用メモリと、マルチチャンネルの音場制御データ記憶用メモリを別個に有するため、再生するオーディオのチャンネルに応じて音場設定を設定し直す必要が生じない。また、本発明の音響装置１０では、視聴者は、２チャンネルソースの場合も、マルチチャンネルソースの場合も、共通の入力手段及び表示画面を用いてバランス／フェーダ調整を実施できるため、バランス／フェーダ調整操作を単純化できる。しかも、２チャンネルソースの場合とマルチチャンネルソースの場合とで、バランス／フェーダの調整範囲を切替ているため、視聴者は、コンテンツに合った音場に調整しやすい構成となっている。また、本発明の音響装置１０は、バランス／フェーダ調整値からセンタースピーカの音量を調整するため、新たにセンタスピーカの音量調整値を入力する手段を設ける必要がなく、マルチチャンネルソースにおける音場設定処理を簡略化することができる。
【００３９】
尚、本実施形態の音響装置１０は、オーディオソースのチャンネル数毎に音の定位を決める各スピーカの音量設定値に関するデータをメモリ６に記憶するように説明したが、グラフィックイコライザーの調整値をオーディオソースのチャンネル数毎にメモリ６に記憶するようにしても良い。このように構成すれば、２チャンネルソースを選択した場合は、好みの音質に自動的に設定され、５．１チャンネルを選択した場合は、各スピーカからの音質が同じとなるように自動的に設定することができる。
【００４０】
また、本実施形態の音響装置１０は、オーディオ信号が２チャンネルと５．１チャンネルの場合について説明したが、２チャンネルとマルチチャンネルであれば良く、５．１チャンネル方式に限定されない。また、５．１チャンネルは、ＤＶＤ／ＣＤ再生部１ｃから供給される例で説明したが、チューナ受信部１ｂ等他のオーディオソースから供給される場合でも良い。また、音響装置１０は、２チャンネル又は５．１チャンネルの検出をマルチチャンネル対応されたＤＶＤディスクを再生する際にＤＶＤ／ＣＤ再生部１ｃから出力されるコンテンツ情報で行う例で説明したが、これに限定されず、チャンネル数を計数して行うようにしても良い。また、音響装置１０は、車載用として説明したが、これに限定されない。
【００４１】
【発明の効果】
本発明によれば、オーディオソースのチャンネル数毎に音場制御データを記憶するため、再生するオーディオソースのチャンネル数が切り替わっても、再度音場制御データを設定する必要が生じない。また、調整するオーディオソースのチャンネル数に応じて音場制御データの入力範囲を可変しているため、チャンネル数に合った音場設定が簡単に行える。
【図面の簡単な説明】
【図１】本実施形態による音響装置１０の要部構成図。
【図２】車内の各スピーカの配置図。
【図３】バランス／フェーダ調整釦の構成図
【図４】バランス／フェーダ調整時の表示画面を示す図
【図５】フェーダ調整部のフェーダ調整範囲をための原理図。
【図６】音響装置１０の音場制御の動作フロー図。
【符号の説明】
１・・・再生部
１ａ・・ＭＤ再生部
１ｂ・・チューナ受信部
１ｃ・・ＤＶＤ／ＣＤ再生部
２・・・選択部
３・・・音場制御部
４・・・ソース指定部
５・・・入力部
６・・・メモリ（記憶手段）
７・・・表示部
８・・・制御部
９・・・スピーカ
１０・・音響装置
【図１】
0004215967.tif 000002
【図２】
0004215967.tif 000003
【図３】
0004215967.tif 000004
【図４】
0004215967.tif 000005
【図５】
0004215967.tif 000006
【図６】
0004215967.tif 000007